(57)【要約】【課題】放熱性を向上することができるテレビ接続装置を提供する。【解決手段】テレビ接続装置は、ケース３３と、ファンユニット２７と、フィンユニット２８と、ヒートパイプ３１と、を具備する。ファンユニット２７は、ケース３３と、ケース３３内部に回転可能に設けられたファン本体３４と、第２の壁部４４の内面に固定されるとともにファン本体３４を回転させるモータ３５と、を有する。フィンユニット２８は、ケース３３の第１の側部４６に隣接して設けられている。ヒートパイプ３１は、回路部品に接続された第１の端部３１Ａと、第１の端部３１Ａとは反対側で第２の壁部４４の近傍に設けられるとともにフィンユニット２８に接続された第２の端部３１Ｂと、を有する。【選択図】図４
2011223012.tif 000002
【特許請求の範囲】
【請求項１】
筐体と、
前記筐体に収容され、回路部品が設けられた回路基板と、
モータと、
前記モータにより回転されるファンと、
前記ファンと前記モータとが収容され、前記ファン側に位置されて第１の吸気口部が設けられた第１の壁部と、前記モータ側に位置されて第２の吸気口部が設けられた第２の壁部と、を含み、前記ファンから遠心方向へ送られた空気を通す排気口部が設けられたファンケースと、
互いに平行になった複数の第１のフィンを有した第１のフィン群と、前記第１のフィンと交差する方向に延びて互いに平行になった複数の第２のフィンを有した第２のフィン群と、を有し、前記排気口部を通った空気を受けるフィンユニットと、
回路部品と熱的に接続された第１の端部と、前記ファンケースの厚み方向で前記モータ側に寄って位置されるとともに前記フィンユニットと熱的に接続された第２の端部と、を有したヒートパイプと、
を具備したことを特徴とする電子機器。
【請求項２】
筐体と、
前記筐体に収容され、発熱体が設けられた回路基板と、
モータと、
前記モータにより回転されるファンと、
前記ファンと前記モータとが収容され、前記ファン側に位置されて第１の吸気口部が設けられた第１の壁部と、前記モータ側に位置されて第２の吸気口部が設けられた第２の壁部と、を含み、前記ファンから遠心方向へ送られた空気を通す排気口部が設けられたファンケースと、
前記発熱体と熱的に接続され、前記ファンケースの厚み方向に延びて並んだ複数の第１のフィン群と、前記ファンケースの厚み方向で前記ファン側に寄って位置されるとともに前記第１のフィンと交差する方向に延びて並んだ複数の第２のフィン群と、を有するとともに、前記排気口部からの排気を受けるフィンユニットと、
を具備したことを特徴とする電子機器。
【請求項３】
筐体と、
前記筐体に収容され、発熱体が設けられた回路基板と、
モータと、
前記モータにより回転されるファンと、
前記ファンと前記モータとが収容され、前記ファンに対して前記モータ側から空気が通る一方の吸気口部と、前記ファンに対して前記モータとは反対側から空気が通る他方の吸気口部と、前記ファンから遠心方向へ送られた空気が出る排気口部が設けられたファンケースと、
前記発熱体と熱的に接続され、前記ファンケースの厚み方向に延びて並んだ複数の第１のフィンと、前記ファンケースの厚み方向で前記ファン側に寄って位置されるとともに前記第１のフィンと交差する方向に延びて並んだ複数の第２のフィンと、を有するとともに、前記排気口部からの排気を受けるフィンユニットと、
を具備したことを特徴とする電子機器。
【請求項４】
筐体と、
前記筐体に収容され、回路部品が設けられた回路基板と、
モータと、
前記モータにより回転されるファンと、
前記ファンと前記モータとが収容され、前記ファン側に位置されて第１の吸気口部が設けられた第１の壁部と、前記モータ側に位置されて第２の吸気口部が設けられた第２の壁部と、を含み、前記ファンから遠心方向へ送られた空気を通す排気口部が設けられたファンケースと、
互いに平行になった複数の第１のフィンを有した第１のフィン群と、前記ファンケースの厚み方向で前記ファン側に寄って位置されるとともに前記第１のフィンと交差する方向に延びて互いに平行になった複数の第２のフィンを有した第２のフィン群と、を有し、前記排気口部を通った空気を受けるフィンユニットと、
を具備したことを特徴とする電子機器。
【請求項５】
前記モータ側に寄った端部を有するヒートパイプを具備することを特徴とする請求項２から４のいずれか１項に記載の電子機器。
【請求項６】
前記ケースは、前記排気口部に対向した第２の側部と、前記第１の壁部、前記第２の壁部、前記排気口部、および前記第２の側部に連続した第３の側部と、を有し、
前記ファンは、複数のファン片を有するとともに、前記第２の側部の近傍にある前記ファン片を、前記第３の側部の近傍を通り、前記排気口部の近傍に至らせる方向に回転し、
前記複数の第１のフィンは、前記第３の側部とそれぞれ平行に設けられるとともに、前記第３の側部に近づくにつれて密になったことを特徴とする請求項１または５に記載の電子機器。
【請求項７】
前記複数の第２のフィンは、前記第１の壁部とそれぞれ平行に設けられるとともに、前記第１の壁部に近づくにつれて密になったことを特徴とする請求項１または５に記載の電子機器。
【請求項８】
前記ケースと前記ヒートパイプとを固定するためのブラケットを具備し、
前記ヒートパイプは、前記フィンユニットと前記ブラケットとの間に挟まれたことを特徴とする請求項１または５に記載の電子機器。
【請求項９】
前記第２のフィン群は、前記第２のフィンと交差する方向に延びる支持壁を有し、この支持壁は、前記第１のフィン群と隣接した一方の端部とは反対側の他方の端部に設けられたことを特徴とする請求項１または５に記載の電子機器。
【発明の詳細な説明】
【技術分野】
【０００１】
本発明の実施形態は、冷却モジュールを備えた電子機器に関する。
【背景技術】
【０００２】
近年の電子機器は、ＣＰＵ等の高出力の回路部品を高い密度で内蔵している。このような半導体素子等の回路部品は、集積度が極めて高く、高速で情報処理を行なうため、多量の熱を発生する。このため、回路部品から放出される熱の処理方法が重要となっている。回路部品から発生する熱を放出するための構造として、ヒートパイプを用いることが一般的である。このヒートパイプは、回路部品で生じた熱をファンの近傍に設けられた放熱フィンまで送って、この放熱フィンに伝達された熱がファンからの送風によって装置外部に排出される。
【先行技術文献】
【特許文献】
【０００３】
【特許文献１】特開２００９−２３９１１８号公報
【発明の概要】
【発明が解決しようとする課題】
【０００４】
上述のように、回路部品の処理速度は日進月歩しているが、それに伴って、回路部品から生じた熱を装置外部に排出するための構造についても高効率化および低騒音化の要請がある。
【課題を解決するための手段】
【０００５】
実施形態のテレビ接続装置は、第１の吸気口部が設けられた第１の壁部と、この第１の壁部と対向するとともに第２の吸気口部が設けられた第２の壁部と、前記第１の壁部と前記第２の壁部とに連続するとともに排気口部が設けられた第１の側部と、を有したケースと、前記ケース内部に回転可能に設けられたファン本体と、前記第２の壁部の内面に固定されるとともに前記ファン本体を回転させるモータと、を有したファンユニットと、互いに平行になった複数の第１のフィンを有した第１のフィン群と、前記第１のフィンと交差する方向に延びて互いに平行になった複数の第２のフィンを有した第２のフィン群と、を有するとともに、前記ケースの前記第１の側部に隣接して設けられたフィンユニットと、回路部品に接続された第１の端部と、前記第１の端部とは反対側で前記第２の壁部の近傍に設けられるとともに前記フィンユニットに接続された第２の端部と、を有したヒートパイプと、を具備した。
【図面の簡単な説明】
【０００６】
【図１】第１の実施形態に係る電子機器の一例であるテレビ接続装置を示した斜視図。
【図２】図１に示すテレビ接続装置の水平方向に沿った断面図。
【図３】図１に示すテレビ接続装置の冷却モジュールの水平方向に沿った断面図。
【図４】図３に示す冷却モジュールのＦ４−Ｆ４線に沿った断面図。
【図５】図３に示す冷却モジュールのＦ５−Ｆ５線に沿った断面図。
【図６】第２の実施形態に係る電子機器の一例であるポータブルコンピュータを示した斜視図。
【図７】図６に示すポータブルコンピュータの筐体の内部に収容されるプリント回路板および冷却モジュールを示した斜視図。
【図８】図７に示す冷却モジュールのＦ８−Ｆ８線に沿った断面図。
【発明を実施するための形態】
【０００７】
以下に、図１から図５を参照して、電子機器の一例であるテレビ接続装置の実施形態について説明する。このテレビ接続装置は、薄型テレビ等に接続されて使用されるものであり、例えば各種のテレビ番組を受信する機能および複数のテレビ番組を同時に録画したり、長時間番組を録画したりする機能を有する。このテレビ接続装置では、地上波デジタル放送、ＢＳデジタル放送、ＣＳデジタル放送をそれぞれ受信して、これらの番組を録画することができる。
【０００８】
図１に示すように、テレビ接続装置１１は、装置の外郭をなした箱状の筐体１２を備えている。図２に示すように、テレビ接続装置１１は、さらに、第１および第２のプリント回路板１３、１４と、後述する第２の回路部品２６を冷却するための冷却モジュール１５と、を筐体１２の内部に備えている。また、テレビ接続装置１１は、第１および第２の補助ファンユニット１６、１７と、映像を記憶するための記憶装置である第１および第２のハードディスクドライブ装置１８、１９と、認証用のカードを差し込み可能なカードホルダー２０と、複数の電源回路部品２１を実装した電源回路基板２２と、を筐体１２の内部に備えている。
【０００９】
第１のプリント回路板１３は、いわゆるチューナ基板であり、その一方の面には図示しない第１の回路部品（発熱部品）が固定されている。本実施形態において第１の回路部品は、例えば、チューナで構成される。
【００１０】
第２のプリント回路板１４は、第１のプリント回路板１３よりも下側の位置に設けられている。第２のプリント回路板１４は、いわゆるメイン基板（セル基板）であり、テレビ接続装置１１の各部品の制御を統括している。第２のプリント回路板１４は、第１のプリント回路板１３との間に隙間を有して第１のプリント回路板１３に対向している。
【００１１】
図２に示すように、第２のプリント回路板１４は、第２のプリント配線板２５と、第２のプリント配線板２５の一方の面（上面）に固定された第２の回路部品２６（発熱部品）と、その他の図示しない発熱部品と、を備えている。
【００１２】
第２の回路部品２６は、例えばセルプロセッサと呼ばれる回路部品で構成される。その他の回路部品には、ＲＡＭ等の回路部品が含まれている。
【００１３】
図２から図４に示すように、冷却モジュール１５は、第２の回路部品２６から出た熱を開口１２Ａを介して装置外部に放出するためのファンユニット２７と、ファンユニット２７に隣接して設けられたフィンユニット２８と、フィンユニット２８に接続されたヒートパイプ３１と、ファンユニット２７のケース３３とヒートパイプ３１とを固定するためのブラケット３２と、を有している。ブラケット３２は、図７に示すブラケット３２と同形態であり、例えばステンレス等の材料によって「Ｌ」字形をなして形成される。ブラケット３２は、ファンユニット２７とヒートパイプ３１との両方に跨るように設けられている。ブラケット３２は、ヒートパイプ３１の第２の端部３１Ｂにろう付け（半田付け）で固定されている。図５に示すように、ヒートパイプ３１の後述する第２の端部３１Ｂは、フィンユニット２８とブラケット３２との間に挟まれている。
【００１４】
ヒートパイプ３１は、銅により形成された管状のヒートパイプ本体の内部に、気体と液体との間で状態変化可能な作動流体が封入して形成されている。作動流体は、例えば水で構成されているが、これに限定されるものではない。作動流体は、例えばアルコール等のその他の媒体であってもよい。図２に示すように、ヒートパイプ３１は、第２の回路部品２６に熱的に接続された第１の端部３１Ａと、第１の端部３１Ａとは反対側に設けられるとともにフィンユニット２８に熱的に接続された第２の端部３１Ｂと、を有している。図４に示すように、第２の端部３１Ｂは、後述するファンユニット２７のケース３３の第２の壁部４４の近傍に配置されており、この位置でフィンユニット２８と熱的に接続される。ヒートパイプ３１の第２の端部３１Ｂとフィンユニット２８とは、例えばろう付け（半田付け）によって固定されている。
【００１５】
図４に示すように、ファンユニット２７は、その外殻をなした箱形のケース３３と、ケース３３内部に回転可能に設けられたファン本体３４と、ファン本体３４を回転駆動するモータ３５と、を有している。ケース３３は、第１の吸気口部４１が設けられた第１の壁部４２と、この第１の壁部４２と対向するとともに第２の吸気口部４３が設けられた第２の壁部４４と、第１の壁部４２と第２の壁部４４とに連続するとともに排気口部４５が設けられた第１の側部４６と、を有している。図３に示すように、ケース３３は、さらに、第１の側部４６に対向する第２の側部４７と、第１の壁部４２、第２の壁部４４、第１の側部４６、および第２の側部４７のぞれぞれに連続している第３の側部４８と、第３の側部４８と対向した第４の側部４９と、を備えている。
【００１６】
図３、４に示すように，第１の壁部４２は、いわゆる天板であり、例えばアルミニウム製の板材によって形成されている。第２の壁部４４は、底板であって、例えばアルミニウム製の板材によって形成されている。第１から第４の側部４６、４７、４８、４９は、例えば、合成樹脂材料によって枠状に一体に形成されている。本実施形態のケース３３では、第１の壁部４２および第２の壁部４４がそれぞれアルミニウム製の板材によって形成されるため、第１の壁部４２および第２の壁部４４の厚み寸法が低減されている。このため、本実施形態のファンユニット２７は、従来形のファンユニットに比して薄型化が実現されている。
【００１７】
ファン本体３４は、その周囲に放射状に突出した複数のファン片３４Ａを有している。モータ３５は、第２の壁部４４の内面（内側）に固定されている。モータ３５は、回転軸３５Ａを有しており、回転軸３５Ａの先端にファン本体３４が取り付けられている。モータ３５は、ケース３３の第２の側部４７の近傍にあるファン片３４Ａを、第３の側部４８の近傍を通り、第１の側部４６の近傍に至らせる方向、つまり図３中では反時計回り方向にファン本体３４を回転させる。
【００１８】
図３から図５に示すように、フィンユニット２８は、ケース３３の第１の側部４６に隣接して設けられている。フィンユニット２８は、ケース３３の第３の側部４８に近い位置に設けられた第１のフィン群５１と、ケース３３の第３の側部４８から遠い位置に設けられた第２のフィン群５２と、を有している。つまり、第１のフィン群５１は、ケース３３の第３の側部４８に対して、第２のフィン群５２よりも近い位置に設けられている。第１のフィン群５１および第２のフィン群５２は、一体に形成されており、一つのフィンユニット２８を形成している。
【００１９】
第１のフィン群５１は、互いに平行になった複数の第１のフィン５３（縦フィン）を有している。第１のフィン５３は、それぞれ例えばアルミニウム製の方形の薄板によって形成されている。各第１のフィン５３は、例えば、ケース３３の第３の側部４８と平行になっている。複数の第１のフィン５３は、ケース３３の第３の側部４８に近づくにつれて密になるように配置されている。
【００２０】
第２のフィン群５２は、互いに平行になった複数の第２のフィン５４（横フィン）と、複数の第２のフィン５４を支持するとともにこれらをヒートパイプ３１に熱的に接続する複数の接続壁５５と、第２のフィン群５２の端部に設けられた支持壁５６と、を有している。
【００２１】
各第２のフィン５４は、第１のフィン５３と交差する方向、より具体的には、直交する方向に設けられている。各第２のフィン５４は、ケース３３の第１の壁部４２とそれぞれ平行になっている。第２のフィン５４は、それぞれ例えばアルミニウム製の方形の薄板によって形成されている。複数の第２のフィン５４は、例えば、ケース３３の第１の壁部４２とそれぞれ平行に設けられている。接続壁５５は、例えばアルミニウム材料で形成された板材であり、例えば、第１のフィン５３の延びる方向に対して斜めになっている。すなわち、接続壁５５は、ファン本体３４から送られる風の方向に沿った方向に延びており、ファン本体３４からの風の流れが妨げられないようになっている。また、支持壁５６は、第２のフィン５４と交差（直交）する方向に延びている。支持壁５６は、第２のフィン群５２のうち、第１のフィン群５１と隣接した一方の端部５２Ａとは反対側の他方の端部５２Ｂに設けられている。
【００２２】
発明者らは、本実施形態の冷却モジュール１５の設計に先立って、ファンユニット２７の排気口部４５の各位置おいて、排気風の風量（流量）について調査を行なった。まず、ファンユニット２７に対して何も処置を加えない場合には、ファンユニット２７に５Ｖの通電をしたときの風量は１５０  Ｌ／ｍｉｎであった。そして、排気口部４５のうちのファンユニット２７の厚み方向の上半分を塞いで、ファンユニット２７の厚み方向の下半分、つまり第２の壁部４４に近い方である第２の半部４５Ｂについて風量（流量）を調査したところ、９３  Ｌ／ｍｉｎであった。これに対して、排気口部４５のうちのファンユニット２７の厚み方向の下半分を塞いで、ファンユニット２７の厚み方向の上半分、つまり第１の壁部４２に近い方である第１の半部４５Ａについて風量（流量）を調査したところ、１０２  Ｌ／ｍｉｎであった。この調査結果から、排気口部４５から排気される風量には差があることが判明し、第１の壁部４２に近い方である第１の半部４５Ａのほうが風量が大きいことが確認された。
【００２３】
第１の実施形態によれば、テレビ接続装置１１は、第１の吸気口部４１が設けられた第１の壁部４２と、この第１の壁部４２と対向するとともに第２の吸気口部４３が設けられた第２の壁部４４と、第１の壁部４２と第２の壁部４４とに連続するとともに排気口部４５が設けられた第１の側部４６と、を有したケース３３と、ケース３３内部に回転可能に設けられたファン本体３４と、第２の壁部４４の内面に固定されるとともにファン本体３４を回転させるモータ３５と、を有したファンユニット２７と、互いに平行になった複数の第１のフィン５３を有した第１のフィン群５１と、第１のフィン５３と交差する方向に延びて互いに平行になった複数の第２のフィン５４を有した第２のフィン群５２と、を有するとともに、ケース３３の第１の側部４６に隣接して設けられたフィンユニット２８と、回路部品に接続された第１の端部３１Ａと、第１の端部３１Ａとは反対側で第２の壁部４４の近傍に設けられるとともにフィンユニット２８に接続された第２の端部３１Ｂと、を有したヒートパイプ３１と、を具備した。
【００２４】
この構成によれば、モータ３５が設けられるケース３３の第２の壁部４４に近い位置にヒートパイプ３１の第２の端部３１Ｂが配置されるため、排気口部４５の風量の小さい方にヒートパイプ３１を配置することができる。これによって、ファン本体３４からの風がヒートパイプ３１によって遮られることがないため、ファンユニット２７から発生する騒音を低減することができる。
【００２５】
また、ケース３３は、第１の側部４６に対向した第２の側部４７と、第１の壁部４２、第２の壁部４４、第１の側部４６、および第２の側部４７に連続した第３の側部４８と、を有し、ファン本体３４は、複数のファン片３４Ａを有するとともに、第２の側部４７の近傍にあるファン片３４Ａを、第３の側部４８の近傍を通り、第１の側部４６の近傍に至らせる方向に回転し、複数の第１のフィン５３は、第３の側部４８とそれぞれ平行に設けられるとともに、第３の側部４８に近づくにつれて密になっている。
【００２６】
この構成によれば、風量の大きい箇所である第３の側部４８の近傍において、第１のフィン５３の密度を高くすることができる。これによって、第１のフィン群５１において放熱性を向上することができ、フィンユニット２８全体としても放熱性を向上することができる。
【００２７】
また、複数の第２のフィン５４は、第１の壁部４２とそれぞれ平行に設けられるとともに、第１の壁部４２に近づくにつれて密になっている。この構成によれば、風量の大きい箇所である第１の壁部４２の近傍において第２のフィン５４の密度を高くして、第２のフィン群５２の放熱性を向上することができる。これによって、フィンユニット２８全体としても放熱性を向上することができる。
【００２８】
さらに、テレビ接続装置１１は、ケース３３とヒートパイプ３１とを固定するためのブラケット３２を具備し、ヒートパイプ３１は、フィンユニット２８とブラケット３２との間に挟まれている。これによれば、ファンユニット２７のケース３３に対してヒートパイプ３１の位置がずれることを防止できる。これによって、ヒートパイプ３１の位置がずれてファンユニット２７からの騒音の発生原因となることを防止することができる。
【００２９】
第２のフィン群５２は、第２のフィン５４と交差する方向に延びる支持壁５６を有し、この支持壁５６は、第１のフィン群５１と隣接した一方の端部５２Ａとは反対側の他方の端部５２Ｂに設けられる。この構成によれば、第２のフィン群５２において機械的な強度を向上することができる。
【００３０】
続いて、図６から図８を参照して、電子機器の第２の実施形態について説明する。第２の実施形態では、電子機器の一例として、ポータブルコンピュータ６１に適用した場合を例に説明する。ポータブルコンピュータ６１は、外観および全体構成が第１の実施形態とは異なっているが、冷却モジュール１５の基本構造は第１の実施形態と共通している。このため、主として異なる部分について説明し、共通する部分については共通の符号を付して説明を省略する。
【００３１】
ポータブルコンピュータ６１は、本体ユニット６２と、表示ユニット６３と、本体ユニット６２と表示ユニット６３との間に設けられるヒンジ部６４と、を備えている。ヒンジ部６４は、表示ユニット６３を回転可能に支持している。
【００３２】
表示ユニット６３は、ディスプレイ６５と、ディスプレイ６５の周囲を取り囲む合成樹脂製のディスプレイケース６６と、を有している。
【００３３】
本体ユニット６２は、例えば、合成樹脂によって箱状に形成される筐体６７と、筐体６７の上面に取り付けられたキーボードユニット６８と、筐体６７の上面に設けられたタッチパッド６９と、筐体６７の内部に収められたプリント回路板７２と、を備えている。キーボードユニット６８に含まれるキー６８Ａは、一部のみが示されている。
【００３４】
プリント回路板７２は、プリント配線板７３と、プリント配線板７３上に実装された第１の回路部品７４（発熱部品）および第２の回路部品７５（発熱部品）と、を備えている。第１の回路部品７４は、例えば、ＣＰＵで構成される。また、第２の回路部品７５は、グラフィックスチップで構成される。
【００３５】
第２の実施形態の冷却モジュール１５は、図３から図５に示すものと基本的に同一の構成を有する。冷却モジュール１５は、第１の回路部品７４および第２の回路部品７５から出た熱を外部に放出するためのファンユニット２７と、ファンユニット２７に隣接して設けられたフィンユニット２８と、フィンユニット２８に接続されたヒートパイプ３１と、ヒートパイプ３１とファンユニット２７とを固定するためのブラケット３２と、を有している。ブラケット３２は、例えばステンレス等の材料によって「Ｌ」字形をなして形成される。ブラケット３２は、ファンユニット２７とヒートパイプ３１との両方に跨るように設けられている。ヒートパイプ３１の後述する第２の端部３１Ｂは、フィンユニット２８とブラケット３２との間に挟まれている。
【００３６】
ヒートパイプ３１は、第１の回路部品７４に熱的に接続された第１の端部３１Ａと、第１の端部３１Ａとは反対側の第２の端部３１Ｂでフィンユニット２８に熱的に接続された第２の端部３１Ｂと、を有している。ヒートパイプ３１は、その途中の位置で、第２の回路部品７５とも熱的に接続されている。第２の端部３１Ｂは、後述するファンユニット２７のケース３３の第２の壁部４４の近傍に配置されており、この位置でフィンユニット２８と熱的に接続される。
【００３７】
フィンユニット２８は、ケース３３の第３の側部４８に近い位置に設けられた第１のフィン群５１と、ケース３３の第３の側部４８からは遠い位置に設けられた第２のフィン群５２と、を有している。つまり、第１のフィン群５１は、ケース３３の第３の側部４８に対して、第２のフィン群５２よりも近い位置に設けられている。第１のフィン群５１と第２のフィン群５２とは一体になった一つのフィンユニット２８を形成している。
【００３８】
第１のフィン群５１は、互いに平行になった複数の第１のフィン５３（縦フィン）を有している。各第１のフィン５３は、例えば、ケース３３の第３の側部４８と平行になっている（図３参照）。複数の第１のフィン５３は、ケース３３の第３の側部４８に近づくにつれて密になるように配置されている。図８に示すように、第１のフィン５３は、切欠部５７を有しており、切欠部５７の内側にヒートパイプ３１の第２の端部３１Ｂが収めされている。第１のフィン５３は、第２のフィン５４よりも端に近い位置で、第２の端部３１Ｂと熱的に接続されている。また、第１のフィン５３の切欠部５７は、ブラケット３２と協同してヒートパイプ３１の第２の端部３１Ｂの周囲を取り囲んで保持している。
【００３９】
第２のフィン群５２は、互いに平行になった複数の第２のフィン５４（横フィン）を有している。それぞれの第２のフィン５４は、第１のフィン５３と交差する方向、より具体的には、直交する方向に設けられている。複数の第２のフィン５４は、例えば、ケース３３の第１の壁部４２とそれぞれ平行に設けられている（図４参照）。
【００４０】
第２の実施形態によれば、フィンユニット２８から騒音が生じることを防止できる。また、風量の多い箇所である第３の側部４８の近傍で第１のフィン５３を密に配置できるとともに、同じく風量の多い箇所である第１の壁部４２の近傍において第２のフィン５４を密に配置することができる。これによって、フィンユニット２８における放熱性能を向上することができる。
【００４１】
電子機器は、上記実施形態に示したテレビ接続装置１１、ポータブルコンピュータ６１に限らず、例えば携帯電話機のようなその他の電子機器に対しても当然に実施可能である。その他、電子機器は、発明の要旨を逸脱しない範囲で種々変形して実施できることは勿論である。
【００４２】
以下に特願２０１０−０９０８９０の出願当初の特許請求の範囲に記載された発明を付記する。
【００４３】
［１］
第１の吸気口部が設けられた第１の壁部と、この第１の壁部と対向するとともに第２の吸気口部が設けられた第２の壁部と、前記第１の壁部と前記第２の壁部とに連続するとともに排気口部が設けられた第１の側部と、を有したケースと、前記ケース内部に回転可能に設けられたファン本体と、前記第２の壁部の内面に固定されるとともに前記ファン本体を回転させるモータと、を有したファンユニットと、
互いに平行になった複数の第１のフィンを有した第１のフィン群と、前記第１のフィンと交差する方向に延びて互いに平行になった複数の第２のフィンを有した第２のフィン群と、を有するとともに、前記ケースの前記第１の側部に隣接して設けられたフィンユニットと、
回路部品に接続された第１の端部と、前記第１の端部とは反対側で前記第２の壁部の近傍に設けられるとともに前記フィンユニットに接続された第２の端部と、を有したヒートパイプと、
を具備したことを特徴とするテレビ接続装置。
【００４４】
［２］
前記ケースは、前記第１の側部に対向した第２の側部と、前記第１の壁部、前記第２の壁部、前記第１の側部、および前記第２の側部に連続した第３の側部と、を有し、
前記ファン本体は、複数のファン片を有するとともに、前記第２の側部の近傍にある前記ファン片を、前記第３の側部の近傍を通り、前記第１の側部の近傍に至らせる方向に回転し、
前記複数の第１のフィンは、前記第３の側部とそれぞれ平行に設けられるとともに、前記第３の側部に近づくにつれて密になったことを特徴とする［１］に記載のテレビ接続装置。
【００４５】
［３］
前記複数の第２のフィンは、前記第１の壁部とそれぞれ平行に設けられるとともに、前記第１の壁部に近づくにつれて密になったことを特徴とする［２］に記載のテレビ接続装置。
【００４６】
［４］
前記ケースと前記ヒートパイプとを固定するためのブラケットを具備し、
前記ヒートパイプは、前記フィンユニットと前記ブラケットとの間に挟まれたことを特徴とする［３］に記載のテレビ接続装置。
【００４７】
［５］
前記第２のフィン群は、前記第２のフィンと交差する方向に延びる支持壁を有し、この支持壁は、前記第１のフィン群と隣接した一方の端部とは反対側の他方の端部に設けられたことを特徴とする［４］に記載のテレビ接続装置。
【００４８】
［６］
第１の吸気口部が設けられた第１の壁部と、この第１の壁部と対向するとともに第２の吸気口部が設けられた第２の壁部と、前記第１の壁部と前記第２の壁部とに連続するとともに排気口部が設けられた第１の側部と、を有したケースと、前記ケース内部に回転可能に設けられたファン本体と、前記第２の壁部の内面に固定されるとともに前記ファン本体を回転させるモータと、を有したファンユニットと、
互いに平行になった複数の第１のフィンを有した第１のフィン群と、前記第１のフィンと交差する方向に延びて互いに平行になった複数の第２のフィンを有した第２のフィン群と、を有するとともに、前記ケースの前記第１の側部に隣接して設けられたフィンユニットと、
回路部品に接続された第１の端部と、前記第１の端部とは反対側で前記第２の壁部の近傍に設けられるとともに前記フィンユニットに接続された第２の端部と、を有したヒートパイプと、
を具備したことを特徴とする冷却モジュール。
【００４９】
［７］
第１の吸気口部が設けられた第１の壁部と、この第１の壁部と対向するとともに第２の吸気口部が設けられた第２の壁部と、前記第１の壁部と前記第２の壁部とに連続するとともに排気口部が設けられた第１の側部と、を有したケースと、前記ケース内部に回転可能に設けられたファン本体と、前記第２の壁部の内面に固定されるとともに前記ファン本体を回転させるモータと、を有したファンユニットと、
前記ケースの前記第１の側部に隣接して設けられたフィンユニットと、
回路部品に接続された第１の端部と、前記第１の端部とは反対側で前記第２の壁部の近傍に設けられるとともに前記フィンユニットに接続された第２の端部と、を有したヒートパイプと、
を具備したことを特徴とする電子機器。
【符号の説明】
【００５０】
１１…テレビ接続装置、１５…冷却モジュール、２６…第２の回路部品、２７…ファンユニット、２８…フィンユニット、３１…ヒートパイプ、３１Ａ…第１の端部、３１Ｂ…第２の端部、３２…ブラケット、３３…ケース、３４…ファン本体、３４Ａ…ファン片、３５…モータ、４１…第１の吸気口部、４２…第１の壁部、４３…第２の吸気口部、４４…第２の壁部、４５…排気口部、４６…第１の側部、４７…第２の側部、４８…第３の側部、５１…第１のフィン群、５２…第２のフィン群、５２Ａ…一方の端部、５２Ｂ…他方の端部、５３…第１のフィン、５４…第２のフィン、５６…支持壁、６１…ポータブルコンピュータ、７４…第１の回路部品
【図１】
2011223012.tif 000003
【図２】
2011223012.tif 000004
【図３】
2011223012.tif 000005
【図４】
2011223012.tif 000006
【図５】
2011223012.tif 000007
【図６】
2011223012.tif 000008
【図７】
2011223012.tif 000009
【図８】
2011223012.tif 000010